(57)【要約】【課題】洗浄ノズル４の上動を規制するストッパ部材を備える食器洗浄機であって、洗浄ノズルの流入筒部４１内に設けられた弁体４５により洗浄水が供給される洗浄ノズル内の流路の切替えが行われるようにしたものにおいて、ノズル内流路に洗浄水が上向きの方向成分を持って流入すると、洗浄ノズルがストッパ部材に強く押し付けられて円滑に回転しなくなってしまうため、これを防止する。【解決手段】筒状の弁体４５内に下方から挿入される、上端が閉塞された筒状の吐出部材２６を設ける。吐出部材２６に、洗浄水が吐出する主吐出口２６２とその下方の副吐出口２６４とを形成する。副吐出口２６４からの洗浄水が弁体４５の押上げ受圧部４５５に下方から当たって、弁体４５が上動すると共に、弁体４５が上動した状態では、弁体４５に開設した弁口４５２を介してノズル内流路４４２に主吐出口２６２からの洗浄水がほぼ水平に流入する。【選択図】図３
2018138063.tif 000002
【特許請求の範囲】
【請求項１】
食器類を収納する洗浄槽と、洗浄槽内に上下方向の回転軸線回りに回転自在に、且つ、上下動自在に支持される洗浄ノズルと、洗浄ノズルが下動位置から所定ストローク上動したところでそれ以上の上動を規制するストッパ部材と、洗浄槽内の洗浄水を洗浄ノズルに供給する洗浄ポンプとを備える食器洗浄機であって、
洗浄ノズルに、回転軸線と同心で洗浄ポンプからの洗浄水が流入する流入筒部と、流入筒部内に各別の連通口を介して連通する複数の流路とが設けられ、
流入筒部内に、回転及び上下動自在で、各流路の連通口に重なって流入筒部内に対する連通口の開度を可変する弁口を有する弁体が設けられ、弁体が一旦下動して上動する度に下動前とは異なる回転位置に弁体を回転させるカム機構を設けて、弁体の異なる回転位置への回転で少なくとも一部の流路の連通口の開度が切替えられるようにしたものにおいて、
各流路の連通口は、流入筒部の周壁部に開設され、弁体は、流入筒部に内挿される筒部を有し、この筒部の周壁部に、弁口が開設されると共に、下方から洗浄水の水流が当たることで弁体に押上げ力を付与する押上げ受圧部が設けられ、
更に、流入筒部内に洗浄ポンプからの洗浄水を吐出する洗浄槽に固定の吐出部材が設けられ、吐出部材は、弁体内に下方から挿入される、上端が端壁部で閉塞された筒部を有し、この筒部の周壁部に、弁体が上動した状態で弁口の少なくとも一部とオーバーラップする上下方向範囲を含む部分に位置させて、洗浄水を吐出する主吐出口が開設されると共に、弁体が下動した状態で押上げ受圧部よりも下方に位置する吐出部材の部分に、洗浄水を吐出する副吐出口が開設されることを特徴とする食器洗浄機。
【請求項２】
請求項１記載の食器洗浄機であって、前記流入筒部の下部に挿入されて前記洗浄ノズルを回転自在に支持する洗浄槽に固定の筒軸部を備え、この筒軸部の内側に前記吐出部材が設けられると共に、吐出部材に、前記主吐出口と前記副吐出口とが夫々周方向の間隔を存して複数設けられるものにおいて、副吐出口の総開口面積は、主吐出口の総開口面積よりも小さいことを特徴とする食器洗浄機。
【発明の詳細な説明】
【技術分野】
【０００１】
本発明は、食器類を収納する洗浄槽と、洗浄槽内に上下方向の回転軸線回りに回転自在に、且つ、上下動自在に支持される洗浄ノズルと、洗浄ノズルが下動位置から所定ストローク上動したところでそれ以上の上動を規制するストッパ部材と、洗浄槽内の洗浄水を洗浄ノズルに供給する洗浄ポンプとを備える食器洗浄機に関する。
【背景技術】
【０００２】
従来、この種の食器洗浄機として、特許文献１により、洗浄ノズルに、回転軸線と同心で洗浄ポンプからの洗浄水が流入する流入筒部と、流入筒部内に各別の連通口を介して連通する複数の流路とが設けられ、流入筒部内に、回転及び上下動自在で、各流路の連通口に重なって流入筒部内に対する連通口の開度を可変する弁口を有する弁体が設けられ、弁体が一旦下動して上動する度に下動前とは異なる回転位置に弁体を回転させるカム機構を設けて、弁体の異なる回転位置への回転で少なくとも一部の流路の連通口の開度が切替えられるようにしたものが知られている。このもので、洗浄ノズルの各流路の連通口は、流入筒部の上端の端壁部に開設されており、弁体は、端壁部の下面に当接可能な平板部を有し、この平板部に弁口が開設されている。
【０００３】
上記従来例のものでは、各流路の連通口から洗浄水が上方に向けて流入する。そのため、洗浄ノズルが連通口から流入する洗浄水の水流により上方に強く押され、洗浄ノズルがストッパ部材に強く押し付けられる。その結果、ストッパ部材への当接で洗浄ノズルに作用する回転摺動抵抗が大きくなり、洗浄ノズルが円滑に回転しなくなってしまう。
【先行技術文献】
【特許文献】
【０００４】
【特許文献１】特開２０１０−１９４１３８号公報
【発明の概要】
【発明が解決しようとする課題】
【０００５】
本発明は、以上の点に鑑み、洗浄ノズルがストッパ部材に強く押し付けられて円滑に回転しなくなってしまうことを防止できるようにした食器洗浄機を提供することをその課題としている。
【課題を解決するための手段】
【０００６】
上記課題を解決するために、本発明は、食器類を収納する洗浄槽と、洗浄槽内に上下方向の回転軸線回りに回転自在に、且つ、上下動自在に支持される洗浄ノズルと、洗浄ノズルが下動位置から所定ストローク上動したところでそれ以上の上動を規制するストッパ部材と、洗浄槽内の洗浄水を洗浄ノズルに供給する洗浄ポンプとを備える食器洗浄機であって、洗浄ノズルに、回転軸線と同心で洗浄ポンプからの洗浄水が流入する流入筒部と、流入筒部内に各別の連通口を介して連通する複数の流路とが設けられ、流入筒部内に、回転及び上下動自在で、各流路の連通口に重なって流入筒部内に対する連通口の開度を可変する弁口を有する弁体が設けられ、弁体が一旦下動して上動する度に下動前とは異なる回転位置に弁体を回転させるカム機構を設けて、弁体の異なる回転位置への回転で少なくとも一部の流路の連通口の開度が切替えられるようにしたものにおいて、各流路の連通口は、流入筒部の周壁部に開設され、弁体は、流入筒部に内挿される筒部を有し、この筒部の周壁部に、弁口が開設されると共に、下方から洗浄水の水流が当たることで弁体に押上げ力を付与する押上げ受圧部が設けられ、更に、洗浄槽に固定で、流入筒部内に洗浄ポンプからの洗浄水を吐出する吐出部材が設けられ、吐出部材は、弁体内に下方から挿入される、上端が端壁部で閉塞された筒部を有し、この筒部の周壁部に、弁体が上動した状態で弁口の少なくとも一部とオーバーラップする上下方向範囲を含む部分に位置させて、洗浄水を吐出する主吐出口が開設されると共に、弁体が下動した状態で押上げ受圧部よりも下方に位置する吐出部材の部分に、洗浄水を吐出する副吐出口が開設されることを特徴とする。
【０００７】
本発明によれば、弁体が上動した状態で、吐出部材の周壁部に開設した主吐出口からほぼ水平に吐出した洗浄水が、弁体の周壁部に開設した弁口を介して洗浄ノズルの流入筒部の周壁部に開設した連通口にほぼ水平のまま流入する。そのため、連通口から流入する洗浄水の水流が上向きの方向成分を殆んど持たず、水流によって洗浄ノズルが上方に強く押されることはない。従って、洗浄ノズルがストッパ部材に強く押し付けられて円滑に回転しなくなってしまうことを防止できる。
【０００８】
尚、吐出部材に主吐出口を設けるだけでは、弁体が下動した状態で、主吐出口から吐出する洗浄水が押上げ受圧部に下方から当たらず、弁体が上動しなくなる。これに対し、本発明では、吐出部材に上記の如く副吐出口を開設するため、弁体が下動した状態で、副吐出口から吐出する洗浄水が押上げ受圧部に下方から当たって、弁体が確実に上動し、連通口の開度切替が行われる。
【０００９】
また、本発明において、流入筒部の下部に挿入されて洗浄ノズルを回転自在に支持する洗浄槽に固定の筒軸部を備え、この筒軸部の内側に吐出部材が設けられると共に、吐出部材に、主吐出口と副吐出口とが夫々周方向の間隔を存して複数設けられる場合、副吐出口の総開口面積は、主吐出口の総開口面積よりも小さいことが望ましい。ここで、弁体が上動した状態では、副吐出口から吐出した洗浄水の多くが流入筒部と筒軸部との間の間隙を介して洗浄槽内に流出してしまう。上記の如く副吐出口の総開口面積を主吐出口の総開口面積よりも小さくすれば、多くの洗浄水が主吐出口から連通口を介して洗浄ノズル内の流路に流れ、流入筒部と筒軸部との間の間隙を介して洗浄槽内に流出する洗浄水の量を減少させることができる。
【図面の簡単な説明】
【００１０】
【図１】本発明の実施形態の食器洗浄機の模式的断面図。
【図２】実施形態の食器洗浄機の洗浄ノズルの斜視図。
【図３】図２のＩＩＩ−ＩＩＩ線で切断した断面図。
【図４】（ａ）図３のＩＶ−ＩＶ線で切断した断面図、（ｂ）弁体が図４（ａ）の位置から９０°回転した状態の要部の断面図。
【図５】（ａ）洗浄ノズルと弁体とを分離させた状態で斜め下方から見た斜視図、（ｂ）筒軸部及び吐出部材を斜め上方から見た斜視図。
【図６】カム機構の作用を説明する展開図。
【発明を実施するための形態】
【００１１】
図１を参照して、本発明の実施形態の食器洗浄機は、外装ケース１と、外装ケース１内に扉２１と一体に引き出し自在に収納される洗浄槽２とを備えており、この洗浄槽２内に給水路３を介して水が供給される。給水路３には、給水弁３１が介設されている。
【００１２】
洗浄槽２内には、食器類Ｗを載置する食器かご２２と、食器かご２２に向けて洗浄水を噴射する洗浄ノズル４とが設けられている。また、洗浄槽２の下側には、洗浄槽２の底部に残菜フィルタ２３を介して接続される洗浄ポンプ５が設けられている。洗浄ポンプ５はモータ５１により正逆転自在である。そして、洗浄ポンプ５を正転させると、洗浄水が洗浄ノズル４を介して洗浄槽２内に循環され、洗浄ポンプ５を逆転させると、洗浄槽２内の洗浄水が排水路６を介して排水される。
【００１３】
食器洗浄機は、更に、洗浄槽２内に空気を送風する乾燥ファン７と、残菜フィルタ２３を介して洗浄槽２に連通する水室８１内のフロート８２を有し、洗浄槽２内の水位が所定レベルになったときにオンする水位スイッチ８とを備えている。また、洗浄槽２内の底部には、洗浄槽２内に給水したときに水面下に沈むように図示省略したヒータが設けられている。
【００１４】
食器洗浄機の運転スイッチをオンすると、先ず、給水弁３１が開弁されて、洗浄槽２に給水され、この水に図外の洗剤供給手段から洗剤が混入されて洗浄水が生成される。そして、洗浄槽２内の水位が所定レベルに達して水位スイッチ８がオンしたとき、給水弁３１を閉弁させて、給水を停止する。その後、洗浄水をヒータで加熱しつつ、洗浄ポンプ５を正転させて洗浄水を洗浄ノズル４から噴射させる洗浄運転を所定時間行う。洗浄運転完了後は、洗浄ポンプ５を逆転させて洗浄槽２内の洗浄水を排水する。次に、給水弁３１を開弁させて、洗浄槽２に水位スイッチ８がオンするまで給水した後、洗浄ポンプ５を正転させて洗浄ノズル４から洗剤が混入されていない洗浄水を噴射させるすすぎ運転を所定時間行う。すすぎ運転完了後は、洗浄ポンプ５を逆転させて洗浄槽２内の洗浄水を排水し、次に、洗浄槽２内の空気をヒータで加温しつつ乾燥ファン７により洗浄槽２内に空気を送風する乾燥運転を所定時間行う。
【００１５】
以下、図２〜図５を参照して、洗浄ノズル４について詳述する。洗浄ノズル４は、洗浄槽２内に上下方向の回転軸線回りに回転自在に支持される。具体的に説明すると、洗浄ノズル４に、回転軸線と同心で洗浄ポンプ５からの洗浄水が流入する流入筒部４１を設けている。そして、流入筒部４１の下部を構成する、洗浄ノズル４の下面から下方に突出する大径筒部４１１に挿入される、洗浄槽２の底壁２４に固定の筒軸部２５を設けて、この筒軸部２５により大径筒部４１１を介して洗浄ノズル４が上下方向の回転軸線回りに回転自在に、且つ、上下動自在に支持されるようにしている。また、底壁２４には、筒軸部２５の内側に位置させて、流入筒部４１内に洗浄ポンプ５からパイプ５２を介して供給される洗浄水を吐出する吐出部材２６が固定されている。尚、本実施形態において、筒軸部２５と吐出部材２６とは、洗浄槽２の底壁２４に一体成形されているが、洗浄槽２に固定される限り、底壁２４と別体であってもよい。
【００１６】
洗浄ノズル４は、洗浄ポンプ５から供給される洗浄水の水流に押されて上動する。そして、食器かご２２に、図１に示す如く、洗浄ノズル４が下動位置から所定ストローク上動したところで洗浄ノズル４の後述するアームノズル部４４の上面に当接して、洗浄ノズル４がそれ以上上動することを阻止するストッパ部材２７を設けている。尚、洗浄ノズル４の下面に爪部を垂設すると共に、底壁２４にストッパ部材たるフック部を立設し、洗浄ノズル４が所定ストローク上動したところで爪部がフック部に係合して、洗浄ノズル４のそれ以上の上動が阻止されるようにすることも可能である。
【００１７】
また、洗浄ノズル４は、流入筒部４１から上方にのびる中央ノズル部４２を備えている。中央ノズル部４２には、上方に伸縮自在で、周面に洗浄水を噴射する上下複数の噴射部４３１を有する伸縮ノズル部４３が組み付けられている。洗浄ノズル４は、更に、流入筒部４１から径方向一方と他方にのびる一対のアームノズル部４４，４４を備えている。各アームノズル部４４は、洗浄水を上方に噴射する複数の洗浄噴射部４４１と、流入筒部４１内に連通し洗浄噴射部４４１に洗浄水を導く洗浄流路４４２とを備えている。また、洗浄ノズル４の回転方向一方（例えば、図４で時計方向）を正転方向、回転方向他方（例えば、図４で反時計方向）を逆転方向として、各アームノズル部４４には、洗浄水を逆転方向の方向成分を持って噴射させて洗浄ノズル４に正転方向の回転力を付与する先端の第１回転噴射部４４３と、洗浄水を正転方向の方向成分を持って噴射させて洗浄ノズル４に逆転方向の回転力を付与する先端の第２回転噴射部４４４と、流入筒部４１内に連通し第１回転噴射部４４３に洗浄水を導く第１回転流路４４５と、流入筒部４１内に連通し第２回転噴射部４４４に洗浄水を導く第２回転流路４４６とが設けられている。尚、洗浄流路４４２と第１と第２の各回転流路４４５，４４６は、流入筒部４１の周壁部に開設した各連通口４４２ａ、４４５ａ，４４６ａを介して流入筒部４１内に連通する。
【００１８】
流入筒部４１内には、回転及び上下動自在で、第１と第２の各回転流路４４５，４４６の連通口４４５ａ，４４６ａの開度を可変する弁体４５が設けられている。弁体４５は、流入筒部４１に内挿される筒部４５１を有し、この筒部４５１の周壁部に、第１弁口４５２と、第１弁口４５２に対し正転方向に９０°の位相差を持つ第２弁口４５３と、第２弁口４５３に対し正転方向に隣接する第３弁口４５４とを夫々点対称の位置関係で一対に形成している。また、筒部４５１の周壁部内面には、第１乃至第３弁口４５２〜４５４の上縁と同じ上下方向位置に、下方から洗浄水の水流が当たることで弁体４５に押上げ力を付与する押上げ受圧部４５５として機能する、径方向内方に張出す環状の張出し部が突設されている。尚、張出し部を省略し、各弁口４５２〜４５４の上縁部で押上げ受圧部４５５を構成することも可能である。
【００１９】
弁体４５が図４（ａ）に示す第１回転位置に位置決めされた状態では、第１弁口４５２が洗浄流路４４２の連通口４４２ａ（以下、洗浄流路連通口と記す）に重なると共に、第３弁口４５４が第１回転流路４４５の連通口４４５ａ（以下、第１回転流路連通口と記す）に重なって、流入筒部４１内に対するこれら連通口４４２ａ，４４５ａの開度が全開となり、一方、筒部４５１の第１と第２の両弁口４５２，４５３間の部分が第２回転流路４４６の連通口４４６ａ（以下、第２回転流路連通口と記す）に重なって、流入筒部４１内に対する第２回転流路連通口４４６ａの開度は全閉となる。従って、洗浄水が洗浄噴射部４４１と第１回転噴射部４４３とから噴射され、洗浄ノズル４が正転方向に回転する。
【００２０】
また、弁体４５が図４（ｂ）に示す第２回転位置に位置決めされた状態では、第２弁口４５３が洗浄流路連通部４４２ａに重なると共に、第３弁口４５４が第２回転流路連通口４４６ａに重なって、これら連通口４４２ａ，４４６ａの開度が全開となり、一方、筒部４５１の第１と第２の両弁口４５２，４５３間の部分が第１回転流路連通口４４５ａに重なって、第１回転流路連通口４４５ａの開度は全閉となる。従って、洗浄水が洗浄噴射部４４１と第２回転噴射部４４４とから噴射され、洗浄ノズル４が逆転方向に回転する。
【００２１】
ここで、弁体４５は、周方向一方に９０°回転する度に、第１回転流路連通口４４５ａの開度が全開、第２回転流路連通口４４６ａの開度が全閉となる第１回転位置と、第２回転流路連通口４４６ａの開度が全開、第１回転流路連通口４４５ａの開度が全閉となる第２回転位置とに交互に切替る。そして、洗浄ポンプ５の一時停止後の再駆動で弁体４５が一旦下動してから上動する度に、後述するカム機構４６の働きで弁体４５が第１回転位置と第２回転位置に交互に回転され、第１回転流路４４５と第２回転流路４４６とに交互に洗浄水が供給されて、洗浄ノズル４の回転方向が正転方向と逆転方向とに繰り返し反転される。
【００２２】
図５及び図６を参照して、カム機構４６は、弁体４５の筒部４５１上端に周方向に並べて複数設けた第１カム部４６１と、流入筒部４１の上部内周に周方向に並べて複数設けた第１ガイド部４６２と、弁体４５の筒部４５１下端に周方向に並べて複数設けた第２カム部４６３と、洗浄槽２の底壁２４の筒軸部２５と吐出部材２６との間の部分に周方向に並べて複数設けた第２ガイド部４６４と、大径筒部４１１の上部内周に周方向に並べて複数設けた第３カム部４６５と、筒軸部２５の上端に周方向に並べて複数設けた第３ガイド部４６６とで構成されている。
【００２３】
各第１カム部４６１は、周方向一方（図６で左方）に向けて上方に傾斜した第１の斜辺部とその下端から周方向他方に向けて上方に傾斜した第２の斜辺部とを有しており、各１ガイド部４６２も周方向一方に向けて上方に傾斜した第１の斜辺部とその下端から周方向他方に向けて上方に傾斜した第２の斜辺部とを有している。弁体４５が洗浄ノズル４に対し上動すると、各第１カム部４６１の第１の斜辺部に各第１ガイド部４６２の第１の斜辺部が当接して、弁体４５が周方向一方に一定角度回転した位置、即ち、各第１カム部４６１の第１の斜辺部の下端及び上端が夫々各第１ガイド部４６２の第１の斜辺部の下端及び上端に到達した位置に位置決めされる。そして、各第１カム部４６１が各第１ガイド部４６２に当接して位置決めされた状態から当該各第１ガイド部４６２の周方向一方に隣接する各第１ガイド部４６２に当接して位置決めされた状態に切替る度に、弁体４５の回転位置が第１回転位置と第２回転位置とに交互に切替るようにしている。尚、弁体４５の上動に際して、第１カム部４６１と第１ガイド部４６２の第２の斜辺部同士が当接することはない。
【００２４】
各第２カム部４６３は、周方向一方に向けて下方に傾斜した斜辺部を有しており、各第２ガイド部４６４も周方向一方に向けて下方に傾斜した斜辺部を有している。弁体４５が下動すると、各第２カム部４６３の斜辺部に各第２ガイド部４６４の斜辺部が当接して、弁体４５が周方向一方に一定角度回転した位置、即ち、各第２カム部４６３の斜辺部の下端及び上端が夫々各第２ガイド部４６４の斜辺部の下端及び上端に到達した位置に位置決めされる。
【００２５】
各第３カム部４６５は、周方向一方に向けて下方に傾斜した第１の斜辺部とその上端から周方向他方に向けて下方に傾斜した第２の斜辺部とを有しており、各第３ガイド部４６６も、周方向一方に向けて下方に傾斜した第１の斜辺部とその上端から周方向他方に向けて下方に傾斜した第２の斜辺部とを有している。洗浄ノズル４が下動する際に、各第３カム部４６５と各第３ガイド部４６６とが第１の斜辺部同士で当接すれば、洗浄ノズル４が周方向一方に回転して、各第３カム部４６５の第１の斜辺部の下端及び上端が夫々各第３ガイド部４６６の第１の斜辺部の下端及び上端に到達した位置に位置決めされ、また、各第３カム部４６５と各第３ガイド部４６６とが第２の斜辺部同士で当接すれば、洗浄ノズル４が周方向他方に回転して、各第３カム部４６５の第２の斜辺部の下端及び上端が夫々各第３ガイド部４６６の第２の斜辺部の下端及び上端に到達した位置に位置決めされる。このようにして位置決めされた回転位置に洗浄ノズル４が存すると、各第１ガイド部４６２が各第２ガイド部４６４に対し周方向に所定の位置関係、即ち、各第２カム部４６３と各第２ガイド部４６４との当接により位置決めされた回転位置から弁体４５が洗浄ノズル４に対し上動したときに、各第１カム部４６１が弁体４５下動前に当接していた各第１ガイド部４６２の周方向一方に隣接する各第１ガイド部４６２に当接するように設定された所定の位置関係になる。
【００２６】
洗浄ポンプ５を停止すると、洗浄ノズル４が下動して、図６（ａ）に示す如く、各第３カム部４６５が各第３ガイド部４６６に当接して、洗浄ノズル４が上述した回転位置に回転する。続いて、弁体４５が洗浄ノズル４に対し下動し、図６（ｂ）に示す如く、各第１カム部４６１が各第１ガイド部４６２から離れると共に、各第２カム部４６３が各第２ガイド部４６４に当接し、弁体４５が周方向一方に一定角度回転した位置に回転する。その後、洗浄ポンプ５を駆動すると、弁体４５が洗浄ノズル４に対し上動し、図６（ｃ）に示す如く、各第２カム部４６３が各第２ガイド部４６４から離れると共に、各第１カム部４６１が弁体４５下動前に当接していた各第１ガイド部４６２の周方向一方に隣接する第１ガイド部４６２に当接して、弁体４５が周方向一方に一定角度回転した位置に回転する。図６（ｃ）に示す状態での弁体４５の回転位置は、図６（ａ）に示す状態での弁体４５の回転位置が第１回転位置であれば第２回転位置となり、図６（ａ）に示す状態での弁体４５の回転位置が第２回転位置であれば第１回転位置となる。続いて、洗浄ノズル４が上動し、各第３カム部４６５が各第３ガイド部４６６から離れて、洗浄ノズル４が正転方向（弁体４５が第１回転位置に存する場合）又は逆転方向（弁体４５が第２回転位置に存する場合）に回転する。
【００２７】
ところで、洗浄ノズル４の各流路４４２，４４５，４４６に各連通口４４２ａ，４４５ａ，４４６ａから流入する洗浄水の水流が上向きの方向成分を持っていると、洗浄ノズル４が水流により上方に強く押され、洗浄ノズル４がストッパ部材２７に強く押し付けられる。その結果、ストッパ部材２７への当接で洗浄ノズル４に作用する回転摺動抵抗が大きくなり、洗浄ノズル４が円滑に回転しなくなってしまう。
【００２８】
そこで、本実施形態では、上記の如く吐出部材２６を設けている。吐出部材２６は、弁体４５内に下方から挿入される、上端が端壁部２６１ａで閉塞された筒部２６１を有している。筒部２６１の周壁部には、弁体４５が上動した状態で各弁口４５２〜４５４とオーバーラップする上下方向範囲を含む部分に位置させて、洗浄水を吐出する主吐出口２６２が周方向の間隔を存して複数、例えば、３個開設されている。これによれば、弁体４５が上動した状態で、吐出部材２６の主吐出口２６２からほぼ水平に吐出した洗浄水が、弁体４５の周壁部に開設した各弁口４５２〜４５４を介して洗浄ノズル４の流入筒部４１の周壁部に開設した各連通口４４２ａ，４４５ａ，４４６ａにほぼ水平のまま流入する。そのため、各連通口４４２ａ，４４５ａ，４４６ａから流入する洗浄水の水流が上向きの方向成分を殆んど持たず、水流によって洗浄ノズル４が上方に強く押されることはない。従って、洗浄ノズル４がストッパ部材２７に強く押し付けられて円滑に回転しなくなってしまうことを防止できる。
【００２９】
但し、吐出部材２６に主吐出口２６２を設けるだけでは、弁体４５が下動した状態で、主吐出口２６２から吐出する洗浄水が弁体４５の押上げ受圧部４５５に下方から当たらず、弁体４５が上動しなくなる。そこで、本実施形態では、弁体４５が下動した状態で押上げ受圧部４５５よりも下方に位置する筒部２６１の下端部に、大径の段付き筒部２６３を設けて、この段付き筒部２６３に、洗浄水を吐出する副吐出口２６４を周方向の間隔を存して複数、例えば、４個開設している。これによれば、弁体４５が下動した状態で、副吐出口２６４から吐出する洗浄水が押上げ受圧部４５５に下方から当たって、弁体４５が確実に上動し、第１回転流路連通口４４５ａと第２回転流路連通口４４６ａの開度切替が行われて、洗浄ノズル４の回転方向が切替る。
【００３０】
尚、弁体４５が上動した状態では、副吐出口２６４から吐出した洗浄水の多くが大径筒部４１１と筒軸部２５との間の間隙を介して洗浄槽２内に流出してしまう。そこで、本実施形態では、副吐出口２６４の総開口面積を主吐出口２６２の総開口面積よりも小さくしている。これによれば、多くの洗浄水が主吐出口２６２から各連通口４４２ａ，４４５ａ，４４６ａを介して洗浄ノズル４内の各流路４４２，４４５，４４６に流れ、大径筒部４１１と筒軸部２５との間の間隙を介して洗浄槽２内に流出する洗浄水の量を減少させることができる。
【００３１】
以上、本発明の実施形態について図面を参照して説明したが、本発明はこれに限定されない。例えば、上記実施形態では、洗浄ノズル４に設けた、弁体４５の異なる回転位置への回転で連通口の開度が切替えられる流路が洗浄ノズル４の回転方向を切替えるための第１と第２の回転流路４４５，４４６であるが、この流路は、洗浄水の噴射量や噴射方向を切替えるための流路であってもよい。
【００３２】
また、上記実施形態では、吐出部材２６の主吐出口２６２の上端が、弁体４５の上動状態での弁口４５２〜４５４の上端と同等高さに位置し、主吐出口２６２の下端が、弁体４５の上動状態での弁口４５２〜４５４の下端よりも下方に位置しているが、主吐出口２６２の上端は、弁体４５の上動状態での弁口４５２〜４５４の下端より上方であれば、当該弁口４５２〜４５４の上端よりある程度下方や上方に位置していてもよく、また、主吐出口２６２の下端は、弁体４５の上動状態での弁口４５２〜４５４の上端より下方であれば、当該弁口４５２〜４５４の上端よりある程度上方に位置していてもよい。要は、吐出部材２６の筒部２６１の周壁部に、弁体４５の上動状態で弁口４５２〜４５４の少なくとも一部とオーバーラップする上下方向範囲を含む部分に位置させて、主吐出口２６２が開設されていればよい。
【００３３】
また、吐出部材２６の副吐出口２６４の形成箇所は上記実施形態のものに限定されず、例えば、第２ガイド部４６４に副吐出口を開設してもよい。この場合は、第２ガイド部４６４に着座する弁体４５の筒部４５１下端の第２カム部４６３が押上げ受圧部として機能する。また、主吐出口２６２と副吐出口２６４とがつながっていてもよい。
【００３４】
また、カム機構４６も上記実施形態のものに限定されない。例えば、弁体４５の下動で弁体下端の各第２カム部４６３に当接する各第２ガイド部４６４を流入筒部４１の下部に設け、各第２カム部４６３と各第２ガイド部４６４との当接で位置決めされた回転位置から弁体４５が洗浄ノズル４に対し上動したとき、各第１カム部４６１が弁体下動前に当接していた各第１ガイド部４６２の周方向一方に隣接する各第１ガイド部４６２に当接するようにしてもよい。この場合、上記実施形態の第３カム部４６５及び第３ガイド部４６６は不要となる。
【符号の説明】
【００３５】
２…洗浄槽、２５…筒軸部、２６…吐出部材、２６１…筒部、２６１ａ…端壁部、２６２…主吐出口、２６４…副吐出口、２７…ストッパ部材、４…洗浄ノズル、４１…流入筒部、４４２，４４５，４４６…流路、４４２ａ，４４５ａ，４４６ａ…連通口、４５…弁体、４５１…筒部、４５２〜４５４…弁口、４５５…押上げ受圧部、４６…カム機構。
【図１】
2018138063.tif 000003
【図２】
2018138063.tif 000004
【図３】
2018138063.tif 000005
【図４】
2018138063.tif 000006
【図５】
2018138063.tif 000007
【図６】
2018138063.tif 000008